(57)【特許請求の範囲】
【請求項１】
アパーチャ枠取付部とボディ取付部をレンズ後部の異なる位置に有する鏡枠と、
前記鏡枠のアパーチャ枠取付部に取り付けられる圧板を取り付けたアパーチャ枠と、
カートリッジ室およびスプール室を有し、前記鏡枠のボディ取付部に取り付けられるボディ枠とからなり、
前記アパーチャ枠のフランジバック位置調整が前記ボディ枠の取付とは独立して行なわれる鏡枠ボディ接続構造であって、
前記アパーチャ枠および前記ボディ枠はフィルムガイドレールを有し、
前記アパーチャ枠のフィルムガイドレールの先端を前記ボディ枠のフィルムガイドレールの嵌合部に嵌め込むことによりフィルムガイドを結合し、
前記アパーチャ枠および前記ボディ枠に、相互に重なるように係合する係合部を設け、前記係合部を結合させることにより前記ボディ枠と前記アパーチャ枠とを漏光なく接続し、
前記アパーチャ枠のフランジバック調整で前後するアパーチャ枠の移動点を前記嵌め合いおよび係合で吸収するように構成したことを特徴とするフランジバック位置を独立して調整可能な鏡枠ボディ接続構造。
【請求項２】
前記フランジバック位置調整は、前記鏡枠のアパーチャ枠取付部と前記アパーチャ枠との間にフランジバックの調整量に応じワッシャを挿入して行うことを特徴とする請求項１記載のフランジバック位置を独立して調整可能な鏡枠ボディ接続構造。
【発明の詳細な説明】
【０００１】
【発明の属する技術分野】
本発明は、ズームレンズ等の鏡枠をフィルム給送室を有するボディ枠に取り付ける構造、さらに詳しくいえば、レンズのフランジバック位置にアパーチャを独立して取り付け可能な鏡枠ボディ接続構造に関する。
【０００２】
【従来の技術】
図５は、従来の鏡枠とボディ枠との接続構造を説明するための概略図である。
いわゆる、Ｔタイプと言われるカメラのボディ３２は、アパーチャ３３とボディ３２とが一体であり、アパーチャ３３の両サイドにパトローネ室３４とスプール室３５が存在している。レンズ鏡枠３１は、ボディ３２に取り付けられ、そのときカメラのアパーチャ３３はフランジバック位置にくるようにしなければならない。
フランジバック調整は、レンズ鏡枠３１とボディ３２の間に必要に応じワッシャ３６，３７を入れ、ネジ３８，３９で止めることにより行うことができる。
【０００３】
【発明が解決しようとする課題】
ところで、上記鏡枠とボディとの接続ではフランジバック調整量の調整逃げを多くする必要があり、カメラ完成状態での鏡枠の出っ張り、すなわち鏡枠先端からカメラ背面までの寸法がカメラによってバラツキが生じていた。
また、フランジバック調整時に再度調整し直す場合には、一旦ネジを抜いてワッシャを入れ換えなければならず作業に手間がかかるという欠点があった。
さらにアパーチャはボディと一体となっているためにボディと鏡枠との間は強固に取り付ける必要があった。
【０００４】
本発明の課題は、上記各欠点を解決するもので、鏡枠のボディへの取り付けとは関係なく、アパーチャ枠を鏡枠に独立して取り付けることができるようにし、フランジバック調整もリードスクリュー等で容易に行うことができる鏡枠ボディ接続構造を提供することにある。
【０００５】
【課題を解決するための手段】
前記目的を達成するために本発明による鏡枠ボディ接続構造は、アパーチャ枠取付部とボディ取付部をレンズ後部の異なる位置に有する鏡枠と、前記鏡枠のアパーチャ枠取付部に取り付けられる圧板を取り付けたアパーチャ枠と、カートリッジ室およびスプール室を有し、前記鏡枠のボディ取付部に取り付けられるボディ枠とからなり、前記アパーチャ枠のフランジバック位置調整が前記ボディ枠の取付とは独立して行なわれる鏡枠ボディ接続構造であって、前記アパーチャ枠および前記ボディ枠はフィルムガイドレールを有し、前記アパーチャ枠のフィルムガイドレールの先端を前記ボディ枠のフィルムガイドレールの嵌合部に嵌め込むことによりフィルムガイドを結合し、前記アパーチャ枠および前記ボディ枠に、相互に重なるように係合する係合部を設け、前記係合部を結合させることにより前記ボディ枠と前記アパーチャ枠とを漏光なく接続し、前記アパーチャ枠のフランジバック調整で前後するアパーチャ枠の移動点を前記嵌め合いおよび係合で吸収するように構成してある。
また、本発明における前記フランジバック位置調整は、前記鏡枠のアパーチャ枠取付部と前記アパーチャ枠との間にフランジバックの調整量に応じワッシャを挿入して行うように構成してある。
【０００６】
【作用】
前記構成によれば、アパーチャ枠はボディ枠とは別の部材を用いることができるので、ボディ枠の取り付けとは独立してフランジバック調整を、リードスクリューで行うことができ、調整作業が簡単になる。また、アパーチャ（および圧板）をボディと別部品にし、ボディをアパーチャ取付部分を避けて鏡枠に取り付けることによりカメラ完成状態で、フランジバック（ＦＢ）のバラツキにより、鏡枠が飛び出たりすることがなく、カメラの鏡枠から背面までの寸法が一定となる。
【０００７】
【発明の実施の形態】
以下、図面等を参照して本発明の実施の形態を詳しく説明する。
図１は、本発明による鏡枠ボディ接続構造の実施の形態を示す概略分解斜視図である。
この実施の形態のカメラは、ＡＰＳカメラを片手で把持できる縦長形状にしたものであり、アパーチャの後部にカートリッジ室とスプール室を配置したものである。
鏡枠１はズームレンズ系であり、鏡枠１にボディ２およびアパーチャ枠３を取り付けるための取付板１ａが一体に形成されている。
【０００８】
取付板１ａの両側にはアパーチャ枠３を取り付けたとき取付部分の漏光を防止するための遮光板１ｂ，１ｃが設けられている。
アパーチャ１ｄの上下にはアパーチャ枠３を取り付けるためのネジ孔１ｅ，１ｆ，１ｇ，１ｈが穿設されている。さらに取付板１ａの上下端付近にはボディ枠２を取り付けるためのネジ孔１ｉ，１ｊ，１ｋ，１ｌが穿設されている。
ボディ枠２は鏡枠１に取り付けるための孔２ｉ，２ｊ，２ｋ，２ｌを有する取付板２ｃ，２ｄを持ち、後部にＡＰＳカートリッジを収容するカートリッジ室６とフィルムを巻き取るスプール室７を備えている。
【０００９】
ボディ枠２は取付板２ｃ，２ｄの間にアパーチャ枠３を収容するためのスペースを有し、側部には突堤状の係合部２ａ，２ｂが設けられている。
アパーチャ枠３は、アパーチャの周囲に鏡枠１に取り付けるための孔３ｅ，３ｆ，３ｇ，３ｈを有している。さらに係合部２ａ，２ｂに重なって係合するための係合部３ａ，３ｂを備えている。アパーチャ枠３には圧板４が取り付けられている。
圧板４を取り付けたアパーチャ枠３は、必要に応じ調整用ワッシャ５ａ，５ｂが挿入され、ネジによって鏡枠１の取付板１ａに取り付けられる。その後に、ボディ枠２が鏡枠１に取り付けられる。
ファインダベース８は、このようにして鏡枠１とボディ枠２とが固定された組体の上に取り付けられる。
【００１０】
図２は、本発明による鏡枠ボディ接続構造を適用したカメラの平面図，図３は、本発明による鏡枠ボディ接続構造を適用したカメラの側面図およびＡーＡ断面図である。
この図は、カメラを組み立てた状態を示したもので、図１と同じ部品には同じ符号を付してある。
アパーチャ枠３はフランジバックの調整量に応じワッシャ２５，２６が挿入され、ネジ１２ｉ，１２ｊ，１２ｋ，１２ｌ（エル）により鏡枠１の取付板１ａに固定される。
圧板４を有するアパーチャ枠３はアパーチャ枠３のみをズームレンズ１４のフランジバック位置に取り付ければ良いので、強固に取付板１ａに取り付ける必要はない。したがって、リードスクリューを用いて取り付けることができ、ワッシャを入れることなくフランジバック位置を調整することができる。
【００１１】
ボディ枠２にはＡＰＳカートリッジ１６とスプール１７が隣接して設けられている。ボディ枠２にＡＰＳカートリッジ１６が装填されると、ＡＰＳカートリッジ１６からはフィルムの先端が送り出され、フィルムローラ１５ｂとボディ枠２の側壁の間にフィルムが導かれ、さらにアパーチャ枠３の壁とフィルムローラ１５ａの間を通って圧板４とアパーチャとの間に達する。
アパーチャを通過した後、フィルムローラ１５ｃとアパーチャ３の壁との間に導かれ、さらにフィルムローラ１５ｄとボディ枠２の側壁の間に送り出され、スプール１７に巻き取られる。このとき、フィルムはボディ枠２およびアパーチャ枠３の内壁面に設けられているフィルムガイドレール上を滑動して進む。
【００１２】
ボディ枠２は、鏡枠１の取付板１ａにネジ１３ｉ，１３ｊ，１３ｋ，１３ｌ（エル）によって固定される。
このとき、アパーチャ枠３の係合部３ａ，３ｂはボディ枠２の係合部２ａ，２ｂに係合し、アパーチャ枠３とボディ枠２の結合部からの漏光を防止している。
図４にこのＤ部分の詳細斜視図を示す。
アパーチャ枠３は、フランジバックの調整によっては前後に移動するが、Ｂに示すような係合となり、アパーチャ枠３の一定量以内の移動量はこの係合部分で吸収される。
【００１３】
また、ボディ枠側およびアパーチャ枠側にはフィルムを案内滑動するためのフィルムガイドレール２１，２２がそれぞれ設けられている。
フィルムガイドレール２２の嵌入部２２ａはフィルムガイドレール２１の嵌合部２１ａに嵌挿される。この嵌合部分も、Ｃに示すようにアパーチャ枠３のフランジバック調整の前後の移動を吸収する。
このような構成のため、鏡枠１に対するボディ枠２の取付寸法、すなわち鏡枠先端からカメラ背面までの寸法は変わることはない。
【００１４】
【発明の効果】
以上、説明したように本発明によれば、アパーチャ枠はボディ枠とは別部材であるため、ボディ枠の取り付けとは独立してフランジバック調整を行うことができる。したがって、アパーチャ枠と鏡枠との間にワッシャを入れることを必要としないリードスクリューだけでフランジバック調整を行うことができ、調整作業が簡単になるという効果がある。
また、アパーチャを取り付けた鏡枠部分とは異なる位置にボディ枠を取り付けているので、カメラの鏡枠から背面までの寸法が一定となり、フランジバックのバラツキによりカメラ完成状態で鏡枠が飛び出たりすることがないという効果がある。
【図面の簡単な説明】
【図１】本発明による独立してフランジバック調整可能な鏡枠ボディ接続構造の実施の形態を示す概略分解斜視図である。
【図２】本発明による鏡枠ボディ接続構造を適用したカメラの平面図である。
【図３】本発明による鏡枠ボディ接続構造を適用したカメラの側面図およびＡーＡ断面図である。
【図４】ボディ枠とアパーチャ枠の接続部Ｄの詳細を示す部分斜視図である。
【図５】従来の鏡枠とボティ接続構造を説明するための概略図である。
【符号の説明】
１…鏡枠
２…ボディ枠
３…アパーチャ枠
４…圧板
５ａ，５ｂ…調整用ワッシャ
６…カートリッジ室
７，３５…スプール室
８…ファインダベース
１４…レンズ
１５ａ，１５ｂ，１５ｃ，１５ｄ…フィルムローラ
１６…ＡＰＳカートリッジ
１７…スプール
１８…電池
１９…ストロボコンデンサ
２０…モータ
２１…ボディ側フィルムガイドレール
２２…アパーチャ枠側フィルムガイドレール
３２…ボディ
３３…アパーチャ
３４…パトローネ室
３６，３７…ワッシャ
３８，３９…ネジ
【図１】
0003543903.tif 000002
【図２】
0003543903.tif 000003
【図３】
0003543903.tif 000004
【図４】
0003543903.tif 000005
【図５】
0003543903.tif 000006